(57)【要約】【課題】マッサージの際の抵抗を小さくし、皮膚や筋肉を引っ張ったり傷つけることのないマッサージ方法を提供する。【解決手段】台座１上に設置された複数の球体２を被マッサージ部分に接触させ、台座１に外力を作用して台座２を移動させると共に複数の球体２を自由回転させ、複数の球体２が接触する被マッサージ部分にマッサージを施す。【選択図】図２
2008055026.tif 000002
【特許請求の範囲】
【請求項１】
台座上に設置された複数の球体を被マッサージ部分に接触させ、台座に外力を作用して台座を移動させると共に前記複数の球体を自由回転させ、前記複数の球体が接触する被マッサージ部分にマッサージを施すことを特徴とするマッサージ方法。
【請求項２】
前記外力は前記台座に往復移動させるものであることを特徴とする請求項１に記載のマッサージ方法。
【請求項３】
前記外力は前記台座に回転移動させるものである請求項１に記載のマッサージ方法。
【請求項４】
前記複数の球体のうちの一部の球体を前記被マッサージ部位に接触させることを特徴とする請求項１に記載のマッサージ方法。
【請求項５】
前記複数の球体の全てを前記被マッサージ部位に接触させることを特徴とする請求項１に記載のマッサージ方法。
【請求項６】
前記外力が前記台座と前記被マッサージ部位との間に相対する圧力を与えることを特徴とする請求項１に記載のマッサージ方法。
【請求項７】
台座と複数の球体とを備え、前記台座に前記各球体を１球配設するための複数の固定部が設けられ、前記固定部は、内部に中空をなした球体配設部を備えると共に前記球体配設部の先端が外部に開口され、かつ前記球体配設部の先端部の内径は前記球体の直径よりも僅かに小さく形成され、前記各球体が前記各球体配設部に配設されると共に前記先端部内壁に当接することで各球体配設部からの抜け出しを阻止され、前記各球体はその一部分が前記固定部の先端から外方に露出されると共に、各球体がその配置位置で自由回転可能に設けられたことを特徴とする請求項１に記載のマッサージ方法を行うためのマッサージ用補助具。
【発明の詳細な説明】
【技術分野】
【０００１】
本発明は、台座上に設置された複数の球体を被マッサージ部分に接触させ、台座に外力を作用して台座を移動させることで、台座上で外力の作用により台座に相応する動作を生じさせ、複数の球体の接触により被マッサージ部位にマッサージを施すマッサージ方法及びそのマッサージ方法を行うためのマッサージ用補助具に関する。
【背景技術】
【０００２】
現代人は生活テンポが早く、仕事が忙しいため、常にマッサージ器具を利用してマッサージを施し、疲労を解消する必要がある。しかし、一般によく見られるマッサージ器具は、手動式と電動式の２種類のマッサージ器具に分けられ、いずれの種類のマッサージ器具であっても、身体のツボなどにマッサージを施すための突起部分を設けられている。
【発明の開示】
【発明が解決しようとする課題】
【０００３】
従来にあっては、この突起部分は固定式であって任意に回転することはできず、垂直に上下するマッサージ作用しかないため、前後左右に回転してマッサージをする際は、摩擦抵抗が大きすぎて相当やりにくかった。また、同時に皮膚の表皮が引っ張られて傷ついたり、痛みを引き起こすため、理想的なものとは言えないものだった。もう１種類、ローラを備えたマッサージ器があるが、そのローラの回転方法は、単一方向（前後、または左右）であるため、全体的に回転させることができない。また、同時に異なる方向（前後、および左右）のローラを設置しても、抵抗が大きすぎてやりにくく、皮膚の表皮を傷つけるという欠陥があり、従来の各種のマッサージ器具はいずれも理想的なものとは言えないものだった。
【０００４】
本発明は、これに鑑みてなされたもので、その目的は、マッサージの際の抵抗を小さくし、皮膚や筋肉を引っ張ったり傷つけることのないマッサージ方法を提供することにある。
【課題を解決するための手段】
【０００５】
請求項１に係るマッサージ方法は、上記課題を解決するために、台座上に設置された複数の球体を被マッサージ部分に接触させ、台座に外力を作用して台座を移動させると共に前記複数の球体を自由回転させ、前記複数の球体が接触する被マッサージ部分にマッサージを施すことを特徴とする。
【０００６】
請求項２に係るマッサージ方法は、請求項１に係るマッサージ方法において、前記外力が前記台座に往復移動させることを特徴とするものである。また、請求項３に係るマッサージ方法は、請求項１に係るマッサージ方法において、前記外力が前記台座に回転移動させることを特徴とするものである。
【０００７】
請求項４に係るマッサージ方法は、請求項１に係るマッサージ方法において、前記複数の球体のうちの一部の球体を前記被マッサージ部位に接触させることを特徴とするものである。また、請求項５に係るマッサージ方法は、請求項１に係るマッサージ方法において、前記複数の球体の全てを前記被マッサージ部位に接触させることを特徴とするものである。さらに、請求項６に係るマッサージ方法は、請求項１に係るマッサージ方法において、前記外力が前記台座と前記被マッサージ部位との間に相対する圧力を与えることを特徴とするものである。
【０００８】
請求項７に係る発明は、請求項１に係るマッサージ方法を行うためのマッサージ補助具であって、台座と複数の球体とを備え、前記台座に前記各球体を１球配設するための複数の固定部が設けられ、前記固定部は、内部に中空をなした球体配設部を備えると共に前記球体配設部の先端が外部に開口され、かつ前記球体配設部の先端部の内径は前記球体の直径よりも僅かに小さく形成され、前記各球体が前記各球体配設部に配設されると共に前記先端部内壁に当接することで各球体配設部からの抜け出しを阻止され、前記各球体はその一部分が前記固定部の先端から外方に露出されると共に、各球体がその配置位置で自由回転可能に設けられたことを特徴とする。
【発明の効果】
【０００９】
請求項１に係るマッサージ方法によれば、球体が自由に回転するので抵抗が小さく、皮膚や筋肉を引っ張ったり傷つけない。即ち、球体はマッサージを受ける部位に接触すると共に自由回転可能であるため、マッサージを受ける部位がいずれも球体から押圧力を受けるだけで、横向きに引っ張られない。球体が自由に回転するので、スピードの早いマッサージであっても、不快感を感じない。
【発明を実施するための最良の形態】
【００１０】
以下、本発明の実施の形態を図面に基いて詳細に説明する。図１は、本発明の実施形態に係るマッサージ用補助具の要部を示す斜視図である。マッサージ用補助具は、台座１と複数の球体２とを備える。台座１には、円板状をなした本体１０の一面の周辺の複数箇所に、球体２を１球配設可能とした円筒形状の固定部１１が一体に形成され、各固定部１１の中空をなした球体配設部１３の基端を塞ぐふた１２が本体１０に対して着脱可能に設けられてなる。
【００１１】
各固定部１１は同一構造であるのでそのうちの１つについて説明する。固定部１１は、内部に中空をなした球体配設部１３を備えると共に球体配設部１３の先端及び基端が外部に開口され、本体１０に位置する球体配設部１３の基端内周面には雌ネジ部１４が設けられている。また、球体配設部１３の先端部の内径は、球体２の直径よりも僅かに小さく形成され、球体配設部１３の先端部分を除く部分の内径は、球体２の直径よりも僅かに大きく形成されている。このため、球体配設部１３へ基端部から球体２が挿入可能であると共に、該球体２が球体配設部１３の先端部内壁に当接することで、該球体２からの抜け出しを阻止され、球体２の一部分が固定部１１の先端から外方に露出される。
【００１２】
また、ふた１２は、球体配設部１３の基端面を塞ぐべく小径の円板形状をなし、その外周面には雄ネジ部１５が設けられている。また、ふた１２の一面にはつまみ１６が設けられ、ふた１２の一面の反対面となる裏面には、球体配設部１３に挿入された球体２の周面に当接される当接凸部１７が設けられている。
【００１３】
固定部１１の内部の球体配設部１３にその基端部から球体２を挿入し、雌ネジ部１４に対してふた１２の雄ネジ部１５を螺合し、球体配設部１３の基端部をふた１２によって閉じることで、球体配設部１３の基端面を塞ぐ。ふた１２の当接凸部１７が球体配設部１３に挿入された球体２の周面に当接することで、球体２は一部分が固定部１１の先端から外方に露出すると共に、球体２は固定部１１内に配設されると共に、該配設位置で自由回転可能に配設される。
【００１４】
次に、上記マッサージ補助具を用いて行う本発明のマッサージ方法について説明する。本発明のマッサージ方法は、台座１上に設置された複数の球体２を被マッサージ部分に接触させ、台座１に外力を作用して台座１を移動させると共に複数の球体２を自由回転させ、複数の球体２が接触する被マッサージ部分にマッサージを施すことを特徴とする。
【００１５】
図２は、図１のマッサージ用補助具を適用した第１実施形態のグリップ式マッサージ器Ａの一部断面図である。図２に示すように、該グリップ式のマッサージ器Ａは、これを握る者が少し力を出して台座１を身体Ｄに押し付け動かすことにより、台座１に相応する動作を生じさせると、いずれの球体２も固定部１１の配設位置で自由に回転するので、該球体２の全部または一部が、身体Ｄのマッサージを受ける部位に接触し、快適なマッサージ効果を得ることができる。
【００１６】
図３は、図１のマッサージ用補助具を適用した第２実施形態の震動マッサージ機の一部断面図である。図３に示すように、マッサージ用補助具は震動マッサージ機のマッサージベルトＢに配設されている。マッサージベルトＢの往復震動により、台座１に相応する動きを生じさせ、いずれの球体２も固定部１１の配設位置で自由に回転するので、球体２の全部または一部が、腰部Ｄ１または臀部のマッサージを受ける部位に接触し、台座１が腰部Ｄ１または臀部に押圧力を施すのに合わせて、快適な機械式のマッサージ効果を得ることができる。
【００１７】
図４は、図１のマッサージ用補助具を適用した第３実施形態の電動マッサージ椅子の何時部断面図である。図４に示すように、マッサージ用補助具は電動マッサージ椅子Ｃの背もたれの中に配設されている。台座１は上下方向に移動すると同時に背部Ｄ２に何度も圧力をかけ、いずれの球体２も固定部１１の配設位置で自由に回転するので、該球体２の全部または一部が、背部Ｄ２のマッサージを受ける部位に接触し、快適なマッサージ効果を得ることができる。
【図面の簡単な説明】
【００１８】
【図１】本発明の実施形態に係るマッサージ用補助具の要部を示す斜視図である。
【図２】図１のマッサージ用補助具を適用した第１実施形態のグリップ式マッサージ器Ａの一部断面図である。
【図３】図１のマッサージ用補助具を適用した第２実施形態の震動マッサージ機の一部断面図である。
【図４】図１のマッサージ用補助具を適用した第３実施形態の電動マッサージ椅子の何時部断面図である。
【符号の説明】
【００１９】
１  台座
２  球体
１０  本体
１１  固定部
１２  ふた
１３  球体配設部
１４  雌ネジ部
１５  雄ネジ部
１６  つまみ
１７  当接凸部
Ａ  マッサージ器
Ｂ  マッサージベルト
Ｃ  電動マッサージ椅子
Ｄ  身体
Ｄ１  腰部
Ｄ２  背部
【図１】
2008055026.tif 000003
【図２】
2008055026.tif 000004
【図３】
2008055026.tif 000005
【図４】
2008055026.tif 000006